(57)【特許請求の範囲】
【請求項１】
複数の音声ファイルと、上記各音声ファイルの再生時刻を記憶する記憶手段と、
音声を音声ファイルとして上記記憶手段に記録する記録手段と、
所定の音声ファイルの再生時刻を少なくとも月日、週一、毎日のいずれか一つの設定モードに設定するための操作が行われる第１の操作手段と、
上記第１の操作手段で操作設定された所定のファイルの再生時刻を上記記憶手段に書き込み、現在時刻と上記記憶手段に記憶されている再生時刻が一致するかを判定し、現在時刻と一致したときに、その再生時刻に対応する音声ファイルを上記記憶手段から読み出す制御を行う制御手段と、
上記記憶手段から読み出された音声信号を再生する再生手段と、
音声ファイルの情報を表示する表示手段と、
再生時刻が設定された音声ファイルの情報を上記表示手段に表示させるための操作が行われる第２の操作手段と、
上記表示手段に表示された音声ファイルの情報をスクロールするスクロール操作手段とを備え、
上記制御手段は、上記第２の操作手段の操作が行われたときに、再生時刻が設定された各音声ファイルの再生時刻の上記設定モードに基づいて上記各音声ファイルの優先順位を現在時刻から近い再生時刻の順に決定し、上記スクロール操作手段の操作に応じて、上記週一及び毎日の設定モードに限って、上記優先順位に従って少なくとも１つの音声ファイルの情報を所定時間先の内容まで上記表示手段にスクロール表示することを特徴とする記録再生装置。
【発明の詳細な説明】
【０００１】
【発明の属する技術分野】
本発明は、音声を音声ファイルとして記録し、設定された時刻に音声ファイルを再生することができる記録再生装置に関する。
【０００２】
【従来の技術】
従来より、音声信号をファイル毎に記憶するフラッシュメモリを備えた記録再生装置（以下、「ＩＣレコーダ」という。）が提供されている。ＩＣレコーダは、音声信号のファイル（以下、「音声ファイル」という。）を記録するとともに、その音声ファイルを所定の時刻に設定して再生する機能（アラーム設定機能）を有している。ユーザは、アラーム設定をするときは、所定の操作によってＩＣレコーダをアラーム設定モードに移行し、そして所望の音声ファイルを再生する日・時間等を入力する。
【０００３】
【発明が解決しようとする課題】
ところで、ユーザは、アラーム設定された内容を確認したい場合がある。しかし、従来のＩＣレコーダでは、このときもアラーム設定モードに移行しないと、ユーザはアラーム設定された内容を確認することができない。
【０００４】
ここで、既にアラーム設定されている場合において、ユーザがその内容を確認するときの操作の一例を説明する。ＩＣレコーダは、例えばそのメニューボタンが１回押されるとアラームオン／オフモードになり、さらに１回押されると日付曜日選択モードになり、さらに１回押されると日付時間設定モードになる。そして、この日付時間設定モードになったときに、アラーム設定された日付や時間が表示される。
【０００５】
したがって、ユーザはその内容を確認するためには少なくともメニューボタンを３回押す操作が必要になる。すなわち、ユーザは、１件のアラーム設定の内容確認のために以上のような操作が必要であり、さらに、件数が多くなればなるほど他の操作を行う必要が生じてくるため、確認の操作が非常に大変になってしまう。
【０００６】
本発明は、このような実情に鑑みて提案されたものであり、アラーム設定された件数が多くても、その内容を事前に容易な操作で確認することができる記録再生装置を提供することを目的とする。
【０００７】
【課題を解決するための手段】
上述の課題を解決するために、本発明に係る記録再生装置は、複数の音声ファイルと、上記各音声ファイルの再生時刻を記憶する記憶手段と、音声を音声ファイルとして上記記憶手段に記録する記録手段と、所定の音声ファイルの再生時刻を少なくとも月日、週一、毎日のいずれか一つの設定モードに設定するための操作が行われる第１の操作手段と、上記第１の操作手段で操作設定された所定のファイルの再生時刻を上記記憶手段に書き込み、現在時刻と上記記憶手段に記憶されている再生時刻が一致するかを判定し、現在時刻と一致したときに、その再生時刻に対応する音声ファイルを上記記憶手段から読み出す制御を行う制御手段と、上記記憶手段から読み出された音声信号を再生する再生手段と、音声ファイルの情報を表示する表示手段と、再生時刻が設定された音声ファイルの情報を上記表示手段に表示させるための操作が行われる第２の操作手段と、上記表示手段に表示された音声ファイルの情報をスクロールするスクロール操作手段とを備える。
【０００８】
そして、上記制御手段は、上記第２の操作手段の操作が行われたときに、再生時刻が設定された各音声ファイルの再生時刻の上記設定モードに基づいて上記各音声ファイルの優先順位を現在時刻から近い再生時刻の順に決定し、上記スクロール操作手段の操作に応じて、上記週一及び毎日の設定モードに限って、上記優先順位に従って少なくとも１つの音声ファイルの情報を所定時間先の内容まで上記表示手段にスクロール表示する。
【０００９】
【発明の実施の形態】
以下、本発明の実施の形態について、図面を参照しながら説明する。
本発明は、例えば図１に示すような構成のＩＣレコーダ１に適用される。
【００１０】
上記ＩＣレコーダ１は、記録部１０によって電気的にデータの消去／再書込みが可能な不揮発性メモリであるＥＥＰＲＯＭ（Electrical Erasable/Programmable Read-Only Memory ）すなわちフラッシュメモリ９に音声データを記憶させ、フラッシュメモリ９の音声データを再生部２０によって再生する制御を行う制御部３０を有し、表示部４０に操作部５０からの操作内容やフラッシュメモリ９の音声データの内容を表示させるものである。なお、フラッシュメモリ９には、１件毎に音声データが１つの音声ファイルとして記憶される。
【００１１】
上記記録部１０は、音声を電気信号に変換して音声信号を出力するマイクロホーン１１と、マイクロホーン１１からの音声信号を増幅する増幅器１２と、増幅器１２で増幅された音声信号の利得制御を行う自動利得制御回路（以下、「ＡＧＣ」：Automatic Gain Controllerという。）１３と、ＡＧＣ１３からの音声信号を音声データに変換するエンコーダ１４と、エンコーダ１４からの音声データを一時記憶するバッファメモリ１５とを備える。
【００１２】
マイクロホーン１１は、入力される音を音声信号に変換して増幅器１２に供給し、増幅器１２は、音声信号を増幅してＡＧＣ１３に供給する。ＡＧＣ１３は、増幅器１２で増幅された音声信号を、その利得が所定値になるように利得制御を行ってエンコーダ１４に供給する。
【００１３】
エンコーダ１４は、音声信号が時間的に相関が強いことから、例えば適応型差分パルスコードモジュレーション（以下、「ＡＤＰＣＭ」：Adaptive Differential Pulse Code Modulation という。）方式により、音声信号を符号化して音声データを生成し、この音声データをバッファメモリ１５，制御部３０を介してフラッシュメモリ９に供給する。
【００１４】
また、エンコーダ１４は、２つのモードに応じて音声データの符号化量を調整することができ、例えばＳＰモードのとき８ｋＨｚでサンプリングを行い、ＬＰモードのときは４ｋＨｚでサンプリングを行って、時間軸方向に対して音声信号の符号化量を調整する。
【００１５】
ここで、フラッシュメモリ９は、記録部１０からの音声ファイルを記憶する領域であるファイル記憶領域と、上記各音声ファイルの再生時刻を記憶する領域である再生時刻記憶領域を有する。また、ユーザは、操作部５０を操作して、フラッシュメモリ９に既に記憶されている音声ファイルから所望のものを選択して当該音声ファイルを再生する時刻を設定することができる。このとき、フラッシュメモリ９には、上記再生時刻記憶領域に当該音声ファイルの再生時刻を示すデータも記憶される。
【００１６】
また、音声ファイルは、長時間録音モードで記録されたＬＰモードと、通常モードで記録されたＳＰモードの２種類があり、記録時のサンプリング周波数によって区別される。また、全ての音声ファイルは、Ａファイル，Ｂファイル，Ｃファイルのいずれかに区別されて記録される。なお、Ａファイル，Ｂファイル，Ｃファイルは音声ファイルの録音前に操作部５０の操作によってユーザが予め設定することができ、音声ファイルはその設定されたＡファイル等のいずれかに分類されて記録される。
【００１７】
一方、再生部２０は、制御部３０を介してフラッシュメモリ９から読み出された音声データを元の音声信号に変換するデコーダ２１と、高域成分を除去するフィルタ２２と、フィルタ２２からの音声信号を増幅してスピーカ２４に供給する増幅器２３とを備える。
【００１８】
デコーダ２１は、記録部１０のエンコーダ１４に対応したものであり、上述のＳＰモード又はＬＰモードに応じてフラッシュメモリ９から読み出された音声データ、すなわちＡＤＰＣＭ方式で符号化された音声データを復号していわゆるＰＡＭ信号を生成する。フィルタ２２は、このＰＡＭ信号から音声帯域以上の高周波成分を除去して、音声信号を出力する。増幅器２３は、デコーダ２１から供給される音声信号を増幅してスピーカ２４を駆動する。かくして、録音された音がスピーカ２４から出力される。
【００１９】
制御部３０は、このＩＣレコーダ１の動作を制御するためのプログラムが記憶されているＲＯＭ３１と、ＲＯＭ３１に記憶されているプログラムを実行して、フラッシュメモリ９や記録部１０，再生部２０，表示部４０を制御するマイクロコンピュータ（以下、「ＣＰＵ」という。）３２と、時刻情報を生成するタイマ３３と、時刻やプログラムの実行結果等を一時的に記憶するランダム・アクセス・メモリ（以下、「ＲＡＭ」：Random Access Memoryという。）３４とを備え、操作部５０の操作設定に基づいて各回路を制御する。
【００２０】
ＲＡＭ３４は、起動時に、例えばフラッシュメモリ９から読み出されたＴＯＣ（Table Of Contents）情報や、音声ファイルを再生する時刻のデータ等を記憶する。そして、ＣＰＵ３２は、ＲＡＭ３４に格納された再生時刻のデータとタイマ３３の時刻情報とを比較し、これが一致したときにその音声ファイルの再生を行う。
【００２１】
表示部４０は、低消費電力の液晶表示パネル４１と、この液晶表示パネル４１を照明するためのバックライト４２とを備え、ＩＣレコーダ１の動作状態や操作手順を表示する。液晶表示パネル４１は、例えばフラッシュメモリ９に後述するスペシャルファイルが記憶されているときは「Ｓ」を表示し、スペシャルファイルが記憶済みであることをユーザに喚起する。
【００２２】
上記ＩＣレコーダ１の外観を図２に示す。ＩＣレコーダ１は、片手で把持できる大きさのほぼ直方体形状の筐体６０によって覆われて構成される。筐体６０の正面部６０ａには、表示部４０が設けられている。また、筐体６０には、上述した操作部５０として、表示されている音声ファイルの次又は前の音声ファイルを選択するための送り／戻しボタン５１と、音声ファイルの再生を開始する再生ボタン５２と、再生中の音声ファイルを停止させる停止ボタン５３と、アラーム表示を行うためのアラームボタン５４と、その他図示しないが時刻設定等を行うためのボタンが設けられている。
【００２３】
筐体６０の側面部６０ｂには、送り／戻しボタン５１及び再生ボタン５２が設けられている。送り／戻しボタン５１は、その上端部５１ａ又は下端部５１ｂが押圧可能に構成される。ユーザは、この上端部５１ａ又は下端部５１ｂを押圧することによって、所望の音声ファイルを選択できる。そして、再生ボタン５２が押されると選択された音声ファイルが再生され、停止ボタン５３が押されると音声ファイルの再生が停止する。
【００２４】
かかる構成のＩＣレコーダ１は、１件毎の音声信号を音声ファイルとして記録することができるとともに、上述のように、その音声ファイルを再生する時刻を設定すること（以下、「アラーム設定」という。）もできる。
【００２５】
ユーザは、例えば所望の音声ファイルを１回再生するための月・日・時刻を設定（月日設定）したり、所定の曜日の所定の時刻に再生する設定（週一設定）をしたり、毎日所定の時刻に再生する設定（毎日設定）をすることができる。
【００２６】
つぎに、アラーム設定された内容を例示して、アラーム設定された内容の検索方法について説明する。ここで、ユーザは、以下のように第１から第４の用件をアラーム設定したものとする。
【００２７】
第１の用件（Ｎｏ．１）
Ｃファイルの２／６番目の音声ファイルを毎日８：００に再生
第２の用件（Ｎｏ．２）
Ｂファイルの１／４番目の音声ファイルを１０月２０日８：２０に再生
第３の用件（Ｎｏ．３）
Ａファイルの８／１２番目の音声ファイルを毎週水曜日１８：００に再生
第４の用件（Ｎｏ．４）
Ｃファイルの４／６番目の音声ファイルを１０月１５日１７：３０に再生
【００２８】
そして、ユーザがアラームボタン５４を押すと、ＣＰＵ３２は、図３に示すステップＳ１以下の処理を行う。
【００２９】
ステップＳ１において、ＣＰＵ３２は、アラーム設定された用件の有無を判定する。具体的には、フラッシュメモリ９にアラーム設定された音声ファイルが存在するかを判定し、存在するときはステップＳ２に進み、存在しないときはステップＳ９に進む。具体的には、ＣＰＵ３２は、フラッシュメモリ９に音声ファイルが記憶されているか、また、音声ファイルが記憶されているときはその再生時刻を示すデータも記憶されているかを判定する。そして、ＣＰＵ３２は、フラッシュメモリ９に音声ファイルが記憶されていない場合や何れの音声ファイルにも再生時刻を示すデータが記憶されていないと判定したときはステップＳ９に進み、それ以外の時はステップＳ２に進む。
【００３０】
ステップＳ２において、ＣＰＵ３２は、液晶表示パネル４１に「ＡＬ  ＳＣＨＥＤＵＬＥ」を１秒間表示させた後、アラームマークを点滅させて、ステップＳ３に進む。
【００３１】
ステップＳ３において、ＣＰＵ３２は、アラーム設定された音声ファイルの中において優先順位を決定して、優先順位が１番の音声ファイルを選択して、ステップＳ４に進む。
【００３２】
ここで、優先順位決定のアルゴリズムについて説明する。
アラーム設定された音声ファイルは、月日設定，週一設定，毎日設定の順番で優先順位が高いものとする。なお、月日設定，週一設定，毎日設定の音声ファイルがそれぞれ複数あるときは、現在時刻に近いものから優先順位が高いものとする。このような優先順位の下、例えば図４（Ａ）に示す８件の音声ファイルは、以下のように並び換えられる。なお、１から８までの数字は優先度を示し、優先度１が最も高く、優先度８が最も低い。
【００３３】
最初に、図４（Ｂ）に示すように、ランダムに１つの音声ファイル（ここでは優先度５）を指定する。この指定された優先度５の音声ファイルを基準にして、この音声ファイルより優先度が大きいときものを左側に分け、この音声ファイルより優先度が小さいものを右側に分ける。この結果、図４（Ｃ）に示すように、左側には音声ファイル４，２，３，１がソートされ、右側には音声ファイル８，７，６がソートされる。
【００３４】
つぎに、基準となった優先度５の音声ファイルを除き、図４（Ｄ）に示すように、左右に分けられた音声ファイル群からそれぞれランダムに１つの音声ファイルを指定する。ここでは、左側の音声ファイル群から優先度３の音声ファイルを指定し、右側の音声ファイル群から優先度７の音声ファイルを指定する。
【００３５】
各音声ファイル群の中において、指定された音声ファイルを基準にして、この音声ファイルより優先度が大きいものを左側に分け、この音声ファイルより優先度が小さいものを右側に分ける。この結果、図４（Ｅ）に示すように、左側の音声ファイル群においては、優先度３の音声ファイに対して、左側に音声ファイル２，１がソートされ、右側には音声ファイル４がソートされる。また、右側の音声ファイル群においては、優先度７の音声ファイに対して、左側に音声ファイル６がソートされ、右側には音声ファイル８がソートされる。
【００３６】
最後に、音声ファイル２，１から、ランダムに音声ファイル（ここでは優先度１の音声ファイル）を指定し、優先度に基づいてソートする。この結果、図４（Ｆ）に示すように、優先度１から優先度８までの音声ファイルが優先度の高い順にソートされる。
【００３７】
ＣＰＵ３２は、このようなアルゴリズムに従って上述した第１から第４の用件をソートすると、優先度の高いものから順に、第４の用件，第２の用件，第３の用件，第１の用件と並び換えて優先順位を決定する。そして、この優先順位の最も高い音声ファイルを指定して、ステップＳ４に進む。なお、ソートのアルゴリズムは、上述したものに限定されるものではなく、他の方法でもよい。例えばいわゆるバブルソートという手法によって、隣り合う音声ファイルの優先順位を比較して、最も優先順位の低いもの又は最も優先順位の高いものから順に決定してもよい。
【００３８】
ステップＳ４において、ＣＰＵ３２は、アラーム設定された用件（設定日時）を表示する。すなわち、指定された音声ファイルのアラーム設定日時を表示部４０に表示させて、ステップＳ５に進む。例えば、ＣＰＵ３２は、優先順位が最も高い第４の用件の音声ファイルを指定しているときは、図５に示すように、表示部４０にＣファイルの４／６番目の音声ファイルを表示すると共にその再生時刻である「１０M １８D  １７：３０」も表示する。
【００３９】
ステップＳ５において、ＣＰＵ３２は、操作部５０にどのような操作が行われるかを判定する。そして、再生ボタン５２が押されたときはステップＳ６に、送り／戻しボタン５１の上端部５１ａが押されたときはステップＳ７に、送り／戻しボタン５１の下端部５１ｂが押されたときはステップＳ８に、停止ボタン５３が押されたときは終了する。
【００４０】
ステップＳ６において、ＣＰＵ３２は、アラーム設定された用件を再生する。具体的には、ステップＳ４で表示された音声ファイルをフラッシュメモリ９から読み出して再生部２０を介して再生すると共に、図６に示すように、表示部４０に当該音声ファイルが記憶された日付である「１０M １５D  ２０：４０」を表示して、ステップＳ３に戻る。
【００４１】
一方、ステップＳ５において送り／戻しボタン５１の上端部５１ａが押されたと判定したときのステップＳ７において、ＣＰＵ３２は、１つ送り、すなわち優先順位が１つ下の音声ファイルを指定して、ステップＳ３に戻る。例えば、第４の用件の音声ファイルが指定されていたときに送り／戻しボタン５１の上端部５１ａが押されると、第２の用件の音声ファイルが指定される。このとき、ステップＳ７を経てステップＳ３に戻ると、ＣＰＵ３２は、図７に示すように、表示部４０に、第２の用件を示唆すべく、Ｂファイルの１／４番目の音声ファイルを表示すると共に、その再生時刻である「１０M ２０D  １１：３０」を表示する。
【００４２】
さらに、送り／戻しボタン５１の上端部５１ａが押されると、図８に示すように、毎週水曜日の１８：００に再生される第３の用件の音声ファイルが表示される。再度その上端部５１ａが押されると、図９に示すように、毎日８：００に再生される第１の用件の音声ファイルが表示される。
【００４３】
一方、ステップＳ５において送り／戻しボタン５１の下端部５１ｂが押されたと判定したときのステップＳ８において、ＣＰＵ３２は、１つ戻し、すなわち優先順位が１つ高い音声ファイルを指定して、ステップＳ３に戻る。
【００４４】
例えば、第１の用件の音声ファイルが指定されていたときに送り／戻しボタン５１の下端部５１ｂが押されると、第３の用件の音声ファイルが指定される。このとき、ステップＳ８を経てステップＳ３に戻ると、ＣＰＵ３２は、上述した図８に示すように、表示部４０に、Ａファイルの８／１２番目の音声ファイルである第３の用件を表示すると共に、その再生時刻である「ＷＥＤ  １８：００」を表示する。
【００４５】
さらに、送り／戻しボタン５１の下端部５１ｂが押されると、上述した図７に示すように第２の用件の音声ファイルが表示され、再度それが押されると、図５に示すように第４の用件の音声ファイルが表示される。
【００４６】
また、ステップＳ１でアラーム設定された音声ファイルがないと判定したときのステップＳ９において、ＣＰＵ３２は、表示部４０に「ＮＯ  ＡＬ  ＳＣＨＥＤＵＬＥ」の表示を１秒間行って、アラーム設定されている音声ファイルがない旨をユーザに示唆して処理を終了し、通常の録音・再生モードになる。
【００４７】
以上のように、ＩＣレコーダ１は、煩わしい操作を何度も行うことなく、容易にアラーム設定された音声ファイルを事前に確認することができる。また、比較的重要な用件から自動的に表示されるので、ユーザは重要な用件からアラーム設定の内容を確認することができる。
【００４８】
なお、ＩＣレコーダ１は、上述したステップＳ３の処理において月日設定，週一設定，毎日設定の順番で優先順位を決定していたが、その他例えば現在時刻から最も近い順に優先順位を決定してもよい。
【００４９】
このとき、ＣＰＵ３２は、具体的には図１０に示すステップＳ１１以下の処理を行うことによって、現在時刻に近いもの順にアラーム設定用件の内容をソートする。
【００５０】
ステップＳ１１において、ＣＰＵ３２は、タイマ３３の時刻情報から現在の日付・時刻（日時）を取得して、ステップＳ１２に進む。
【００５１】
ステップＳ１２において、ＣＰＵ３２は、現在の日付と、各音声ファイルのアラーム設定の日付とを比較して、ステップＳ１３に進む。
【００５２】
ステップＳ１３において、ＣＰＵ３２は、アラーム設定された用件の音声ファイルを日付でソートして、ステップＳ１４に進む。
【００５３】
ステップＳ１４において、ＣＰＵ３２は、アラーム設定の音声ファイルのうち、同じ日付の音声ファイルが存在するときはその時刻を比較して、ステップＳ１５に進む。
【００５４】
ステップＳ１５において、ＣＰＵ３２は、同じ日付の音声ファイルを時刻順でソートして、処理を終了する。
【００５５】
ＣＰＵ３２は、以上のような処理を行うことによって、アラーム設定された音声ファイルを日付・時刻の順でソートして優先順位を決定することができる。ここで、上述した第１の用件から第４の用件を日付・時刻の順でソートしたときの、優先順位を表１に示す。
【００５６】
【表１】
0004409637.tif 000002
【００５７】
このとき、ユーザが送り／戻しボタン５１の上端部５１ａを押す度に、表示部４０には、表１の各用件が上から下に向って１個ずつ表示される。逆に、ユーザが送り／戻しボタン５１の下端部５１ｂを押す度に、表１の各用件が下から上に向って１個ずつ表示される。なお、週一設定や毎日設定の場合はアラーム設定内容が限りなく表示することになるので、例えば１ヶ月先の内容までしか見られないようにしてもよい。
【００５８】
以上のように、ＩＣレコーダ１は、アラーム設定の内容を現在時刻から近いもの順に表示することもできるので、ユーザは現在時刻から近いもの順に容易に確認することができる。
【００５９】
なお、上述した実施の形態では、表示部４０にアラーム設定の内容が１件ずつ表示される例を挙げて説明したが、その他一度に何件かの音声ファイルの情報を表示することができる。このとき、ユーザが送り／戻しボタン５１の上端部５１ａ又は５１ｂを押すと、表示部４０の表示内容が優先順位の低い方向に又は高い方向にスクロールされるようにすればよい。
【００６０】
【発明の効果】
以上詳細に説明したように、本発明に係る記録再生装置によれば、第２の操作手段の操作が行われたときに、再生時刻が設定された各音声ファイルの再生時刻に基づいて各音声ファイルの優先順位を決定し、その優先順位の順に音声ファイルの情報を表示手段に表示することによって、アラーム設定された件数が多くても、操作手段に簡単な操作を行うだけで、その内容を事前に容易に確認することができる。
【図面の簡単な説明】
【図１】本発明を適用したＩＣレコーダの具体的な構成を示すブロック図である。
【図２】上記ＩＣレコーダの外観図である。
【図３】上記ＩＣレコーダが備えるＣＰＵがアラーム設定内容を検索するときの動作を説明するフローチャートである。
【図４】上記ＣＰＵがアラーム内容を検索するときの優先順位を決定するときのアルゴリズムの一例を説明する図である。
【図５】上記ＩＣレコーダが備える表示部の表示内容を説明する図である。
【図６】上記ＩＣレコーダが備える表示部の表示内容を説明する図である。
【図７】上記ＩＣレコーダが備える表示部の表示内容を説明する図である。
【図８】上記ＩＣレコーダが備える表示部の表示内容を説明する図である。
【図９】上記ＩＣレコーダが備える表示部の表示内容を説明する図である。
【図１０】上記ＣＰＵが他の方法で優先順位を決定するときの動作を説明するフローチャートである。
【符号の説明】
１  ＩＣレコーダ、９  フラッシュメモリ、３２  ＣＰＵ、３３  タイマ、４０  表示部、５０  操作部
【図１】
0004409637.tif 000003
【図２】
0004409637.tif 000004
【図３】
0004409637.tif 000005
【図４】
0004409637.tif 000006
【図５】
0004409637.tif 000007
【図６】
0004409637.tif 000008
【図７】
0004409637.tif 000009
【図８】
0004409637.tif 000010
【図９】
0004409637.tif 000011
【図１０】
0004409637.tif 000012